(57)【要約】【課題】植物への給水などの際に、光源が水にさらされる恐れおよび光源の発熱により、近接する植物体や培地に悪影響を与える恐れを抑制できるとともに、植物下部に均一に光が照射でき、水耕栽培をする際には、植物周辺のスペースを確保することができる植物栽培用パネル４を提供する。【解決手段】光を導入させる光導入面２ａを端部に備え、かつ、導入された光を内部で導光させながら光出射面２ｂから出射させる導光体２と、光導入面２ａに沿って設けられた光源１と、を備え、導光体２は、光出射面２ｂ中の上記導入された光が出射される領域と対向する領域には、反射シート３を備えており、導光体２に、光出射面２ｂと光出射面２ｂと対向する面２ｃとの間を貫通する貫通穴が形成されている。【選択図】図１
2014117245.tif 000002
【特許請求の範囲】
【請求項１】
貫通穴を有する植物栽培用パネルであって、
光を導入させる光導入面を端部に備え、かつ、導入された光を内部で導光させながら光出射面から出射させる導光体と、
上記光導入面に沿って設けられた光源と、を備え、
上記導光体は、上記光出射面中の上記導入された光が出射される領域と対向する領域には、反射面を備えており、
上記導光体における上記貫通穴は、上記光出射面と上記光出射面と対向する面との間を貫通することを特徴とする植物栽培用パネル。
【請求項２】
上記導光体における上記貫通穴の側面の少なくとも一部には、反射部材が設けられていることを特徴とする請求項１に記載の植物栽培用パネル。
【請求項３】
上記貫通穴は複数個形成されており、
上記貫通穴の少なくとも一つは、上記光出射面と上記光出射面と対向する面との間で上記貫通穴の断面積が、小さくなる方向または、大きくなる方向に、連続的に変化するように形成されていることを特徴とする請求項１または２に記載の植物栽培用パネル。
【請求項４】
上記光源は、各々が異なる波長領域の光を出射する複数個の発光ダイオードからなり、
上記複数個の発光ダイオードは、個別または、同一波長領域の光を出射する群毎に、制御することができることを特徴とする請求項１から３の何れか１項に記載の植物栽培用パネル。
【請求項５】
請求項１から４の何れか１項に記載の植物栽培用パネルと、植物の上側から光を照射する照明機構と、を備えたことを特徴とする植物栽培用照明装置。
【発明の詳細な説明】
【技術分野】
【０００１】
本発明は、育成対象植物に対して光を照射できる植物栽培用パネルと、このような植物栽培用パネルを備えた植物栽培用照明装置に関するものである。
【背景技術】
【０００２】
近年、農業分野においては、蛍光管やＬＥＤ（発光ダイオード）などの人工光を利用して、植物を栽培する技術が注目を浴びており、植物工場の数も増加している。
【０００３】
図９（ａ）は、植物工場で植物を栽培する際の植物への光の照射量を示す図である。
【０００４】
図示されているように、植物工場で植物を栽培する際には、一般的に植物の上方から光を照射して群落上部にのみ光が暴露される。その結果、植物全体、特に植物の下方に十分な光が行き渡らず、植物の生育に支障が生じる恐れがある。
【０００５】
このような問題は、太陽光を利用する窓際栽培の場合においても、同様に生じる。
【０００６】
図９（ｂ）は、太陽光を利用して窓際栽培をする際の植物への光の照射量を示す図である。
【０００７】
図示されているように、太陽光を利用して窓際栽培をする際にも、太陽光は植物体の一部にのみ行き渡り、植物の生育に支障が生じる恐れがある。
【０００８】
以上のように、人工光や太陽光が植物全体に十分に行き渡らない場合には、植物全体での光合成量が不足するため、植物の生育が抑制されてしまう。
【０００９】
このような問題は、今後、植物工場や窓際での栽培が予想される果菜類などの背丈の高い作物を栽培する際に、特に問題になると考えられる。
【００１０】
そこで、特許文献１には、このような問題を解消するため、ＬＥＤなどを有する発光体が植物を植えた培地の上に、直接、設けられた構成の植物用の照明装置について開示されている。
【００１１】
図１０は、特許文献１に記載されている植物用の照明装置を示す図である。
【００１２】
図示されているように、栽培ハウス内の圃場５０の土壌（培地）５２には、イチゴ５１が植えられており、線状発光体３０は、イチゴ５１が２列に植えられたその中間位置であり、土壌５２の上に直接配設されている。
【００１３】
そして、線状発光体３０の長さは、圃場５０の長さに合わせて所定の長さに設定されている。
【００１４】
なお、線状発光体３０は、複数の発光ダイオードと線状基体３１とを備えており、上記発光ダイオードは線状基体３１の上面に向かって白色光を発光し、この白色光が線状基体３１の上面３で散乱し照射角度が広がるとともに上に向かって照射され、イチゴ５１の葉５１Ａの裏側を照射するようになっている。
【００１５】
特許文献１には、このような構成によれば、線状発光体３０から出射された光の多くは、植物に直接当るため、大光量の光源を必要とせずに安価な設備で、植物に光を照射することができるとともに、栽培ハウスからの照明光の漏れを防止することができることや線状発光体３０を栽培パネルの上に置くことで水耕栽培でも使用することができると記載されている。
【先行技術文献】
【特許文献】
【００１６】
【特許文献１】特開２０１２−１９７１５号公報（２０１２年２月２日公開）
【発明の概要】
【発明が解決しようとする課題】
【００１７】
しかしながら、上記特許文献１に記載されている植物用の照明装置は、以下のような問題点を有する。
【００１８】
ＬＥＤなどを有する発光体を直接植物培地面に置くため、植物への給水などの際に、上記発光体が水にさらされる恐れがある。
【００１９】
また、ＬＥＤなどが密に配置された線状発光体からの発熱により、近接する植物体や培地に悪影響を与える恐れがある。
【００２０】
また、水耕栽培をする際には、上記発光体を栽培パネルの上に置くため、上記発光体を設けるための別途のスペースが必要とする。
【００２１】
さらに、上記発光体は、線状発光体であるため、培地上の一部である線状領域のみから光が照射され、植物下部に均一に光が照射されない。また、線状発光体であるため、下がってきた葉や、落葉などにより容易に光が遮断されてしまう。
【００２２】
本発明は、上記の問題点に鑑みてなされたものであり、植物への給水などの際に、光源が水にさらされる恐れおよび光源の発熱により、近接する植物体や培地に悪影響を与える恐れを抑制できるとともに、植物下部に均一に光が照射でき、水耕栽培をする際には、植物周辺のスペースを確保することができる植物栽培用パネルおよび植物栽培用照明装置を提供することを目的とする。
【課題を解決するための手段】
【００２３】
本発明の植物栽培用パネルは、上記の課題を解決するために、貫通穴を有する植物栽培用パネルであって、光を導入させる光導入面を端部に備え、かつ、導入された光を内部で導光させながら光出射面から出射させる導光体と、上記光導入面に沿って設けられた光源と、を備え、上記導光体は、上記光出射面中の上記導入された光が出射される領域と対向する領域には、反射面を備えており、上記導光体における上記貫通穴は、上記光出射面と上記光出射面と対向する面との間を貫通することを特徴としている。
【００２４】
本発明の植物栽培用照明装置は、上記の課題を解決するために、上記植物栽培用パネルと、植物の上側から光を照射する照明機構と、を備えたことを特徴としている。
【発明の効果】
【００２５】
本発明の植物栽培用パネルは、以上のように、光を導入させる光導入面を端部に備え、かつ、導入された光を内部で導光させながら光出射面から出射させる導光体と、上記光導入面に沿って設けられた光源と、を備え、上記導光体は、上記光出射面中の上記導入された光が出射される領域と対向する領域には、反射面を備えており、上記導光体における上記貫通穴は、上記光出射面と上記光出射面と対向する面との間を貫通する構成である。
【００２６】
また、本発明の植物栽培用照明装置は、上記植物栽培用パネルと、植物の上側から光を照射する照明機構と、を備えた構成である。
【００２７】
それゆえ、植物への給水などの際に、光源が水にさらされる恐れおよび光源の発熱により、近接する植物体や培地に悪影響を与える恐れを抑制できるとともに、植物下部に均一に光が照射でき、水耕栽培をする際には、植物周辺のスペースを確保することができる植物栽培用パネルおよび植物栽培用照明装置を実現することができる。
【図面の簡単な説明】
【００２８】
【図１】本発明の一実施の形態の植物栽培用パネルを用いて、植物栽培をする場合を示す図である。
【図２】本発明の一実施の形態の植物栽培用パネルに備えられた導光体と、導光体に形成された貫通穴と、を示す図である。
【図３】本発明の一実施の形態の植物栽培用パネルに備えられた導光体に形成された貫通穴に、培養液やエアなどを供給するためのホースを通した場合を示す図である。
【図４】本発明の一実施の形態の植物栽培用パネルに備えられた導光体に形成された貫通穴の側面に、反射シートが設けられている場合の効果を説明するための図である。
【図５】本発明の他の一実施の形態の植物栽培用照明装置を示す図である。
【図６】本発明の他の一実施の形態の植物栽培用パネルの導光体に形成することができる貫通穴の形状の一例を示す図である。
【図７】本発明の他の一実施の形態の植物栽培用パネルに備えることができる光源の一例を示す図である。
【図８】拡散シートを備えた本発明の他の一実施の形態の植物栽培用パネルを用いて、植物栽培をする場合を示す図である。
【図９】（ａ）は、植物工場で植物を栽培する際の植物への光の照射量を示す図であり、（ｂ）は、太陽光を利用して窓際栽培をする際の植物への光の照射量を示す図である。
【図１０】特許文献１に記載されている従来の植物用の照明装置を示す図である。
【発明を実施するための形態】
【００２９】
以下、図面に基づいて本発明の実施の形態について詳しく説明する。ただし、この実施の形態に記載されている構成部品の寸法、材質、形状、その相対配置などはあくまで一実施形態に過ぎず、これらによってこの発明の範囲が限定解釈されるべきではない。
【００３０】
〔実施の形態１〕
以下、図１から図４に基づき、本発明の第一の実施の形態の植物栽培用パネル４について説明する。
【００３１】
図１は、植物栽培用パネル４を用いて、植物栽培をする場合を示す図である。
【００３２】
図示されているように、植物栽培用パネル４は、光源１と、導光体２と、反射シート３（反射面）と、を備えている。
【００３３】
そして、図示されてないが、導光体２には、植物６の固定用または、培養液やエアなどを供給するためのホースを通すために、複数の貫通穴が設けられている。
【００３４】
なお、植物６の根は、培養液５に浸されている。
【００３５】
導光体２は、光源１からの光を導入させる光導入面２ａと、導入された光を内部で導光させながら出射させる光出射面２ｂと、を備えている。
【００３６】
そして、導光体２における上記光出射面２ｂと対向する面２ｃには、反射シート３が設けられている。
【００３７】
図２は、植物栽培用パネル４に備えられた導光体２と、導光体２に形成された貫通穴７と、を示す図である。
【００３８】
図２（ａ）に図示されているように、導光体２には、複数個の貫通穴７が形成されており、図２（ｂ）に図示されているように、この貫通穴７は、導光体２の光出射面２ｂと光出射面２ｂと対向する面２ｃとの間を貫通するように形成されている。
【００３９】
そして、導光体２の光出射面２ｂと対向する面２ｃにおいて、貫通穴７が形成されている箇所には、反射シート３は設けられてない。
【００４０】
すなわち、導光体２は、光出射面２ｂにおいて、上記導入された光が出射される領域と対向する領域に、反射シート３を備えている。貫通穴７が形成されている箇所は、光出射面２ｂではないので、反射シート３が設けられてない。
【００４１】
植物栽培用パネル４は、このような構成を有するため、光源１から出射された光は、導光体２の光導入面２ａから導入され、主に導光体２の光出射面２ｂから出射されるようになっている。
【００４２】
したがって、図１に図示されているように、植物栽培用パネル４から出射された光によって、植物６の下部へ光を照射することができる。
【００４３】
よって、植物栽培用パネル４を用いることにより、植物６の下部に光が照射されにくい植物工場や窓際栽培においても、植物６の下部へ光を照射することが可能となり、植物の健全な生育、生育促進を実現することができる。
【００４４】
また、植物６の基部への強い光照射により、茎の伸長を抑制することも可能となる。
【００４５】
なお、図１に図示されているように、光源１は、導光体２の一端部に配置されるので、光源１は、導光体２の光出射面２ｂとは分離されている。したがって、光源１で発熱が生じても、光照射部位である光出射面２ｂでは発熱が生じず、植物６の葉が導光体２の光出射面２ｂに接触しても葉焼け等の傷害が生じない。
【００４６】
以下、植物栽培用パネル４に備えられた光源１、導光体２および反射シート３について詳しく説明する。
【００４７】
光源１としては、導光体２の光導入面２ａに沿って、形成できるのであれば、その形状は特に限定されず、例えば、発光ダイオード（ＬＥＤ）などの点状光源や蛍光管などの棒状光源などを用いることができる。
【００４８】
本実施の形態においては、発光効率が高く、小型であるため、単位面積当たりの発光強度を上げられる利点などを考慮し、光源１として、サイド発光タイプの複数個のＬＥＤを導光体２の光導入面２ａに沿って、一列に配列したものを用いた。
【００４９】
なお、サイド発光タイプでないＬＥＤや蛍光管などを用いる場合には、反射部材などと組み合わせて、導光体２の光導入面２ａから光が導入されるようにすればよい。
【００５０】
上記複数個のＬＥＤは、白色ＬＥＤで構成されていてもよく、赤（Ｒ）、緑（Ｇ）、青（Ｂ）という３色のＬＥＤで構成されていてもよい。
【００５１】
また、赤（Ｒ）、緑（Ｇ）、青（Ｂ）という３色のＬＥＤ以外にも、必要とされる特定波長領域の光を出射できるＬＥＤなどを含んでいてもよい。
【００５２】
なお、上記複数個のＬＥＤを白色ＬＥＤで構成した場合には、コストを下げるメリットがある一方、赤（Ｒ）、緑（Ｇ）、青（Ｂ）という３色のＬＥＤで構成した場合には、これらを色毎に個別に制御し、詳しくは実施の形態４で後述されているように、所定波長領域の光のみを用いた特有の効果を得ることができる。
【００５３】
なお、赤（Ｒ）、緑（Ｇ）、青（Ｂ）という３色のＬＥＤで構成した場合でも、導光体２の光出射面２ｂにおいて白色の光を照射することができる。
【００５４】
また、上記複数個のＬＥＤの構成は、植物６の特性や植物６を栽培する環境に応じて、適宜決定することができる。
【００５５】
なお、図１には図示されてないが、上記複数個のＬＥＤは基板上に配置されており、この基板の背面側には、各ＬＥＤを点灯制御するためのドライバが実装されている。
【００５６】
一方、導光体２は、ポリカーボネート（ＰＣ）、ポリメチルメタクリレート（ＰＭＭＡ）などの透明樹脂で形成することができるが、これらに限定されることはなく、導光体として一般的に使用される材料で形成することができる。
【００５７】
なお、導光体２には、図２（ａ）に図示されているように、複数個の貫通穴７が形成されるが、貫通穴７は導光体２の成型時に同時に形成してもよく、導光体２の成型後に別工程で貫通穴７を形成してもよい。
【００５８】
また、導光体２に形成される貫通穴７の形状およびサイズは、導光体２の光出射面２ｂと光出射面２ｂと対向する面２ｃとの間を貫通するように形成されていれば特に限定されないが、本実施の形態においては、図２（ａ）および図２（ｂ）に図示されているように、貫通穴７は円柱形状に形成されている。
【００５９】
なお、貫通穴７のサイズは、植物６のサイズや植物６を栽培する環境に応じて、適宜決めればよい。
【００６０】
そして、反射シート３は、例えば、銀、アルミニウムなどの反射率の高い物質を蒸着した正反射シートや拡散反射を有する白色反射シートの何れかを用いることや、上記２枚の反射シートを重ね合わせた反射シートを用いることが可能である。
【００６１】
また、上記正反射シートを用いる場合には、正反射シートの少なくとも一方の面に凹凸を設けたり、白色材料を塗布したりすることにより、正反射シートの少なくとも一方の面における所望の領域に、容易に拡散反射層を形成することができる。
【００６２】
以上のように、反射シート３として、拡散機能を有する反射シートを用いることにより、導光体２の光出射面２ｂから出射される光はより均一なものとなる。
【００６３】
なお、反射シート３は導光体２の光出射面２ｂと対向する面２ｃに、貼り付けられている。
【００６４】
このような構成であるため、図１に図示されているように、植物６を水耕栽培する際には、反射シート３により、培養液５への光漏れを防ぐことができる。
【００６５】
なお、本実施の形態においては、植物栽培用パネル４を水耕栽培に用いた場合を例に挙げて説明しているが、これに限定されることはなく、植物栽培用パネル４は、水耕栽培以外の栽培方法にも用いることができるのは勿論である。
【００６６】
図３は、植物栽培用パネル４に備えられた導光体２に形成された貫通穴７に、培養液やエアなどを供給するためのホース８を通した場合を示す図である。
【００６７】
図３（ａ）に図示されているように、貫通穴７は、植物６の固定用のみでなく、培養液やエアなどを供給するためのホース８を通すためにも用いられる。
【００６８】
そして、図３（ｂ）に図示されているように、貫通穴７からも光が照射されることから、光源１として、出射される光に、除菌・殺菌効果のある波長領域の光を含む光源を用いて、貫通穴７に培養液のホースやエアホースを通し、除菌・殺菌効果のある波長の光を当てて培養液などの滅菌などを行うことができる。
【００６９】
図４は、貫通穴７の側面にも、反射シート（反射部材）３を設けた場合の効果を説明するための図である。
【００７０】
図４（ａ）は、貫通穴７の側面に反射シート３が設けられてない場合を示しており、図４（ｂ）は、貫通穴７の側面に反射シート３が設けられている場合を示す図である。
【００７１】
なお、本実施の形態においては、導光体２の光出射面２ｂと対向する面２ｃに設ける反射シートと、貫通穴７の側面に設ける反射シートとは、形状やサイズのみが異なり、同じ材質のものを用いているが、異なる材質のものを用いてもよい。
【００７２】
図示されているように、貫通穴７の側面に設けられる反射シート３の有無により、光路を調整することができ、植物６の茎６ａへの光照射の有無も調節することができる。
【００７３】
発泡スチロールなどからなる従来の栽培パネルを用いる場合には、従来の栽培パネル上に別の発光体を配置する必要があり、植物周辺のスペースを確保するのが困難であった。
【００７４】
一方、発光体を兼ねた植物栽培用パネル４を用いることにより、植物周辺のスペースをより広く確保することができる。
【００７５】
なお、本実施の形態においては、植物周辺のスペースをより広く確保する観点から、平板状の導光体２を用いているが、導光体２の形状はこれに限定されない。
【００７６】
また、発泡スチロールなどからなる従来の栽培パネルの場合は、その表面が凹凸であるため、菌や藻類が付着しやすく、付着した菌や藻類を洗浄するにも手間がかかるという問題があった。
【００７７】
一方、植物栽培用パネル４に備えられた導光体２の光出射面２ｂは、発泡スチロールなどからなる従来の栽培パネルの表面と比較して、凹凸がないので菌や藻類が付着しにくく、付着した際も洗浄が用意である。
【００７８】
〔実施の形態２〕
次に、図５に基づいて、本発明の第２の実施形態について説明する。本実施の形態の植物栽培用照明装置２０は、上記実施の形態１で説明した植物栽培用パネル４に加え、植物６の上側から光を照射する照明機構９をさらに備えている。その他の構成については実施の形態１において説明したとおりである。説明の便宜上、上記の実施の形態１の図面に示した部材と同じ機能を有する部材については、同じ符号を付し、その説明を省略する。
【００７９】
図５は、植物栽培用照明装置２０の概略構成を示す図である。
【００８０】
図示されているように、植物栽培用照明装置２０は、植物６の下部へ光を照射することができる植物栽培用パネル４に加え、植物６の上側から光を照射する照明機構９をさらに備えている。
【００８１】
照明機構９は、植物６の上側から光を照射できる照明装置であれば、特に限定されることはなく、例えば、発光ダイオード（ＬＥＤ）や蛍光管などを用いることができる。
【００８２】
植物栽培用照明装置２０を用いることにより、植物６の上側からも下側からも比較的に均一な光を照射することができるとともに、各方向（上側および/または下側）からの照射光量を比較的容易に制御することができる。
【００８３】
〔実施の形態３〕
次に、図６に基づいて、本発明の第３の実施形態について説明する。本実施の形態においては、植物栽培用パネルに備えられた導光体２′に形成された貫通穴７ａ・７ｂの形状が実施の形態１および２とは異なっており、その他の構成については実施の形態１および２において説明したとおりである。説明の便宜上、上記の実施の形態１および２の図面に示した部材と同じ機能を有する部材については、同じ符号を付し、その説明を省略する。
【００８４】
図６は、導光体２´に形成することができる貫通穴７ａ・７ｂの形状の一例を示す図である。
【００８５】
図６（ａ）に図示されているように、貫通穴７ａは、導光体２´の光出射面２ｂ´から光出射面２ｂ´と対向する面２ｃ´に近づくにつれて、貫通穴７ａの断面積が大きくなる方向に、連続的に変化するように形成されている。
【００８６】
一方、図６（ｂ）に図示されているように、貫通穴７ｂは、導光体２´の光出射面２ｂ´から光出射面２ｂ´と対向する面２ｃ´に近づくにつれて、貫通穴７ｂの断面積が小さくなる方向に、連続的に変化するように形成されている。
【００８７】
本実施の形態の導光体２´には、円柱形状の貫通穴７の他に、図６（ａ）および図６（ｂ）に図示されているような貫通穴７ａ・７ｂが、必要な箇所に形成されている。
【００８８】
導光体２´に、図６（ａ）に図示されている貫通穴７ａを形成した箇所においては、植物６の固定位置付近の光を立ち上げることができ、植物根元近傍の光強度を上げることができる。
【００８９】
このような形状の貫通穴７ａを用いることにより、例えば、イチゴのクラウンへの光照射や、葉菜類の葉の裏面への光照射効果をより高めることが可能となる。
【００９０】
また、植物の基部への強い光照射により、茎の伸長を抑制することも可能となる。
【００９１】
一方、導光体２´に、図６（ｂ）に図示されている貫通穴７ｂを形成した箇所においては、植物６の固定位置付近の光を立ち下げることができ、導光体２´の下面へも光を伝えることにより、植物６の根に直接光を当てることが可能となる。
【００９２】
なお、このように、植物６の固定位置付近の光を立ち上げたり、立ち下げたりできる理由は、貫通穴７ａ・７ｂの側面に角度を持たせているので、側面で全反射された光が上側または下側に出射されるからである。
【００９３】
なお、必要に応じて、貫通穴７ａ・７ｂの側面に反射シートを設けてもよい。
【００９４】
したがって、導光体２´の必要な箇所に、貫通穴７ａまたは、貫通穴７ｂを設けることにより、より多様な方向に光の照射方向を制御できる植物栽培用パネルを実現することができる。
【００９５】
〔実施の形態４〕
次に、図７に基づいて、本発明の第４の実施形態について説明する。本実施の形態の植物栽培用パネルにおいては、光源が、各々が異なる波長領域の光を出射する複数個の赤色発光ダイオード１０Ｒと緑色発光ダイオード１０Ｇと青色発光ダイオード１０Ｂからなり、発光ダイオード１０Ｒ・１０Ｇ・１０Ｂは、個別または、同一波長領域の光を出射する群毎に、制御することができるようになっている点において、実施の形態１から３とは異なっており、その他の構成については実施の形態１から３において説明したとおりである。説明の便宜上、上記の実施の形態１から３の図面に示した部材と同じ機能を有する部材については、同じ符号を付し、その説明を省略する。
【００９６】
図７は、個別または、同一波長領域の光を出射する群毎に、制御することができる複数個の発光ダイオード１０Ｒ・１０Ｇ・１０Ｂと、導光体２と、を備えた植物栽培用パネルを示す図である。
【００９７】
複数個の発光ダイオード１０Ｒ・１０Ｇ・１０Ｂは、個別または、同一波長領域の光を出射する群毎に、制御することができるので、導光体２の光出射面または貫通穴７からは、白色を示す所定波長領域の光、赤色を示す所定波長領域の光、緑色を示す所定波長領域の光および青色を示す所定波長領域の光を選択的に出射させることができる。
【００９８】
さらに、所定領域の光出射面または貫通穴７からのみ所定波長領域の光を選択的に出射させることもできる。
【００９９】
したがって、例えば、植物の葉裏に青色を示す所定波長領域の光を照射することで、気孔開口を誘導し、生育を促進させることも可能となる。
【０１００】
また、例えば、植物の基部へ遠赤色の光照射を行うことにより、生長点からの葉などの伸長を誘導することができる。
【０１０１】
また、所定の貫通穴７に培養液のホースを通す場合、除菌・殺菌効果のある波長の光を該当する貫通穴７にのみ当てて培養液の滅菌などをすることも可能となる。
【０１０２】
なお、本実施の形態においては、赤色発光ダイオード１０Ｒと緑色発光ダイオード１０Ｇと青色発光ダイオード１０Ｂとを用いているが、これに限定されることはなく、植物を栽培する環境に応じて、必要とされる所定波長領域の光を発光する光源を含めることができる。
【０１０３】
なお、本実施の形態においては、光源を導光体２の各端部（この場合は４個の端部）に配置しているが、これに限定されることはなく、必要に応じて、１個から３個の端部にのみ配置してもよい。
【０１０４】
〔実施の形態５〕
次に、図８に基づいて、本発明の第５の実施形態について説明する。本実施の形態の植物栽培用パネル４ａにおいては、導光体２の光出射面２ｂ上に拡散シート（拡散部材）１１が設けられている点において、実施の形態１から４とは異なっており、その他の構成については実施の形態１から４において説明したとおりである。説明の便宜上、上記の実施の形態１から４の図面に示した部材と同じ機能を有する部材については、同じ符号を付し、その説明を省略する。
【０１０５】
拡散部材シート１１は、導光体２の光出射面２ｂ全体を覆うように形成されるが、貫通穴７が設けられている箇所には設けられない。
【０１０６】
植物栽培用パネル４ａは、植物の下部からより均一な光が照射される必要がある場合に、好適に用いることができる。
【０１０７】
本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
（まとめ）
本発明の一実施の形態の植物栽培用パネルは、貫通穴を有する植物栽培用パネルであって、光を導入させる光導入面を端部に備え、かつ、導入された光を内部で導光させながら光出射面から出射させる導光体と、上記光導入面に沿って設けられた光源と、を備え、上記導光体は、上記光出射面中の上記導入された光が出射される領域と対向する領域には、反射面を備えており、上記導光体における上記貫通穴は、上記光出射面と上記光出射面と対向する面との間を貫通する構成である。
【０１０８】
上記構成によれば、光源と光出射面の中央部とは、離されているので、植物への給水などの際に、光源が水にさらされる恐れおよび光源の発熱により、近接する植物体や培地に悪影響を与える恐れを抑制できるとともに、植物下部に均一に光が照射でき、水耕栽培をする際には、植物周辺のスペースを確保することができる植物栽培用パネルを実現することができる。
【０１０９】
本発明の一実施の形態の植物栽培用パネルは、上記導光体における上記貫通穴の側面の少なくとも一部には、反射部材が設けられていてもよい。
【０１１０】
上記構成によれば、貫通穴の側面に設けられる反射部材により、光路を調整することができ、例えば、植物の茎への光照射の有無を調節することができる。
【０１１１】
本発明の一実施の形態の植物栽培用パネルにおいては、上記貫通穴は複数個形成されており、上記貫通穴の少なくとも一つは、上記光出射面と上記光出射面と対向する面との間で上記貫通穴の断面積が、小さくなる方向または、大きくなる方向に、連続的に変化するように形成されていることが好ましい。
【０１１２】
上記構成によれば、より多様な方向に光の照射方向を制御できる植物栽培用パネルを実現することができる。
【０１１３】
本発明の一実施の形態の植物栽培用パネルにおいては、上記光源は、各々が異なる波長領域の光を出射する複数個の発光ダイオードからなり、上記複数個の発光ダイオードは、個別または、同一波長領域の光を出射する群毎に、制御することができることが好ましい。
【０１１４】
上記構成によれば、上記導光体の光出射面または貫通穴から、所定波長領域の光を選択的に出射させることができる。また、所定領域の光出射面または貫通穴からのみ所定波長領域の光を選択的に出射させることもできる。
【０１１５】
本発明の一実施の形態の植物栽培用照明装置は、上記植物栽培用パネルと、植物の上側から光を照射する照明機構と、を備えた構成である。
【０１１６】
上記構成によれば、植物の上側からも下側からも比較的に均一な光を照射することができるとともに、各方向（上側および/または下側）からの照射光量を比較的容易に制御することができる。
【０１１７】
本発明の一実施の形態の植物栽培用パネルにおいては、上記導光体における上記光出射面に拡散部材が設けられていることが好ましい。
【０１１８】
上記構成によれば、植物の下部からより均一な光が照射できる植物栽培用パネルを実現できる。
【産業上の利用可能性】
【０１１９】
本発明は、育成対象植物に対して光を照射できる植物栽培用パネルと、このような植物栽培用パネルを備えた植物栽培用照明装置に適用することができる。
【符号の説明】
【０１２０】
１                光源
２                導光体
２′              導光体
２ａ              光導入面
２ｂ              光出射面
２ｂ′            光出射面
２ｃ              光出射面と対向する面
２ｃ′            光出射面と対向する面
３                反射シート（反射面・反射部材）
４                植物栽培用パネル
４ａ              植物栽培用パネル
５                培養液
６                植物
６ａ              植物の茎
７                貫通穴
８                ホース
９                照明機構
１０Ｒ            赤色発光ダイオード（発光ダイオード）
１０Ｇ            緑色発光ダイオード（発光ダイオード）
１０Ｂ            青色発光ダイオード（発光ダイオード）
【図１】
2014117245.tif 000003
【図２】
2014117245.tif 000004
【図３】
2014117245.tif 000005
【図４】
2014117245.tif 000006
【図５】
2014117245.tif 000007
【図６】
2014117245.tif 000008
【図７】
2014117245.tif 000009
【図８】
2014117245.tif 000010
【図９】
2014117245.tif 000011
【図１０】
2014117245.tif 000012